(57)【要約】【課題】薄葉紙包装体を構造物に取付けた状態で、衛生薄葉紙を取出す位置を調整することができる薄葉紙ホルダを提供する。【解決手段】積み重ねた複数の衛生薄葉紙を収容する薄葉紙ホルダであって、前記衛生薄葉紙が取出し可能な開口部を備え、前記衛生薄葉紙を収容するホルダ本体と、前記ホルダ本体を移動可能に取り付ける長尺の帯状部材とを有する。【選択図】図１
2018052549.tif 000002
【特許請求の範囲】
【請求項１】
積み重ねた複数の衛生薄葉紙を収容する薄葉紙ホルダであって、
前記衛生薄葉紙が取出し可能な開口部を備え、前記衛生薄葉紙を収容するホルダ本体と、
前記ホルダ本体を移動可能に取り付ける長尺の帯状部材と、を有することを特徴とする薄葉紙ホルダ。
【請求項２】
前記帯状部材の両端部を構造物に係止する係止部材を有する、請求項１に記載の薄葉紙ホルダ。
【請求項３】
前記係止部材は、Ｌ字金具を有する、請求項２に記載の薄葉紙ホルダ。
【請求項４】
前記係止部材は、前記構造物に対して弾性部材を介して係止する構成を有する、請求項２または３に記載の薄葉紙ホルダ。
【請求項５】
前記ホルダ本体が取り付けられ、前記帯状部材に対して移動可能に摺動する摺動部を有する、請求項１乃至４のいずれか１項に記載の薄葉紙ホルダ。
【請求項６】
前記摺動部は、前記帯状部材がジグザグに挿通される格子形状である、請求項５に記載の薄葉紙ホルダ。
【請求項７】
前記帯状部材の長さを調整する調整機構を有する、請求項１乃至６のいずれか１項に記載の薄葉紙ホルダ。
【請求項８】
前記ホルダ本体は、前記帯状部材に対する前記ホルダ本体の取り付け角度を変える角度可変機構を介して前記帯状部材に取付けられている、請求項５乃至７のいずれか１項に記載の薄葉紙ホルダ。
【請求項９】
前記複数の衛生薄葉紙が包装された包装体が前記ホルダ本体に収容される、請求項１乃至８のいずれか１項に記載の薄葉紙ホルダ。
【発明の詳細な説明】
【技術分野】
【０００１】
本発明は、薄葉紙ホルダに関する。
【背景技術】
【０００２】
ティッシュペーパー等の衛生薄葉紙は、家庭内で日常的に使用されている。中でも、キッチンやダイニングの周辺では、水分や油分、ゴミ、汚れ等を拭き取る際に、衛生薄葉紙が収容された薄葉紙包装体として使用される頻度が高い。
【０００３】
しかし、キッチン等の周辺では、食材や食器等が置かれるスペースを確保するため、このような薄葉紙包装体はできるだけ置かない方が好ましい。そのため、衛生薄葉紙をキッチン等の周辺で使用する場合、薄葉紙包装体をキッチン等の周辺に配置された構造物（例えば、タオル掛、冷蔵庫、食器棚等）に取付けて使用するニーズがある。
【０００４】
例えば、特開２０１２−２２８３９５号公報（特許文献１）には、紙葉体の積層体が収納された箱状の包装体を既存のタオル掛けに係止する技術が開示されている。
【先行技術文献】
【特許文献】
【０００５】
【特許文献１】特開２０１２−２２８３９５号公報
【発明の概要】
【発明が解決しようとする課題】
【０００６】
しかしながら、特許文献１に開示された従来の技術では、薄葉紙包装体を所定の構造物に取付けた場合、薄葉紙包装体の配置場所が固定される。そのため、薄葉紙包装体を構造物に取付けた状態では、使用目的に応じて薄葉紙包装体の高さを変える等の、衛生薄葉紙を取出す位置を調整することは困難であった。
【０００７】
本発明の目的は、薄葉紙包装体を構造物に取付けた状態で、衛生薄葉紙を取出す位置を調整することができる薄葉紙ホルダを提供することにある。
【課題を解決するための手段】
【０００８】
上記課題を解決するため、本発明の第１の態様は、積み重ねた複数の衛生薄葉紙を収容する薄葉紙ホルダであって、前記衛生薄葉紙が取出し可能な開口部を備え、前記衛生薄葉紙を収容するホルダ本体と、前記ホルダ本体を移動可能に取り付ける長尺の帯状部材とを有する。
【０００９】
第１の態様によれば、複数の衛生薄葉紙を収容した状態でホルダ本体が長尺の帯状部材に対して移動することができる。例えば、帯状部材の長手方向が上下方向になるように帯状部材を構造物に取付けた状態で、ホルダ本体を移動させることにより、ホルダ本体の高さを変えることができる。したがって、薄葉紙ホルダが構造物に固定された状態で、衛生薄葉紙を取出す位置を調整することができる。
【００１０】
第２の態様では、前記帯状部材の両端部を構造物に係止する係止部材を有する。このような係止部材を備えることにより、帯状部材を構造物に係止することができる。また、このような係止部材を帯状部材の両端部に設けることにより、帯状部材に対するホルダ本体の移動の妨げにならないようにすることができる。
【００１１】
第３の態様では、前記係止部材は、Ｌ字金具を有する。係止部材をこのようなＬ字金具で構成することにより、構造物に対する帯状部材の取り付けが容易になる。また、Ｌ字金具のように剛性を有する係止部材を用いることにより、構造物に対して帯状部材を強固に固定することができる。そのため、ホルダ本体は帯状部材に対して安定した移動を行うことができる。
【００１２】
第４の態様では、前記係止部材は、前記構造物に対して弾性部材を介して係止する構成を有する。係止部材に弾性部材を設けることにより、弾性部材が構造物に取付けられた帯状部材のすべり止めとなるため、帯状部材が構造物から外れにくくなる。また、このような弾性部材によって、係止部材から構造物を保護することができる。そのため、薄葉紙包装体を磁石や粘着テープ等で構造物に固定した場合に比べて、構造物の表面を傷つけたり、粘着剤が残ったりする問題がない。
【００１３】
第５の態様では、前記ホルダ本体が取り付けられ、前記帯状部材に対して移動可能に摺動する摺動部を有する。このような摺動部を設けることにより、構造物に取付けられた帯状部材に対して、衛生薄葉紙が収容されたホルダ本体を移動させ、固定することができる。
【００１４】
第６の態様では、前記摺動部は、前記帯状部材がジグザグに挿通される格子形状である。摺動部をこのような格子形状にすることにより、帯状部材に対するホルダ本体の移動と固定を容易にかつ確実に行うことができる。
第７の態様では、前記帯状部材の長さを調整する調整機構を有する。このような調整機構を設けることにより、帯状部材を取付ける構造物の寸法や取付ける位置に応じて帯状部材の長さを調整することができる。その結果、構造物に帯状部材を撓まないように係止することができるため、帯状部材が構造物から外れにくくなる。
【００１５】
第８の態様では、前記ホルダ本体が前記帯状部材に対する前記ホルダ本体の取り付け角度を変える角度可変機構を介して前記帯状部材に取付けられている。このような角度可変機構を備えることにより、帯状部材に対してホルダ本体の向きを調整することができる。その結果、帯状部材が取り付けられた状態に関係なく衛生薄葉紙を取出す位置を調整することができる。
【００１６】
第９の態様では、前記複数の衛生薄葉紙が包装された包装体が前記ホルダ本体に収容される。第９の態様によれば、複数の衛生薄葉紙が薄葉紙包装体に包装されている場合でも、該衛生薄葉紙を薄葉紙包装体に包装されたままホルダ本体に収容することができるため、汎用性の高い薄葉紙ホルダを提供することができる。
【発明の効果】
【００１７】
本発明の一態様によれば、薄葉紙包装体を構造物に取付けた状態で、衛生薄葉紙を取出す位置を調整することができる。
【図面の簡単な説明】
【００１８】
【図１】本発明の実施形態に係る薄葉紙ホルダの一例を示す正面図である。
【図２】図１の背面図である。
【図３】図１の左側面図である。
【図４】本発明の実施形態に係る薄葉紙ホルダを構造物に取付けた状態を示す図である。
【図５】図４の一部を拡大した左側面図である。
【図６】本発明の実施形態に係る薄葉紙ホルダの一部を構成する摺動部の一例を示す図である。
【図７】本発明の実施形態に係る薄葉紙ホルダの一部を構成する摺動部の他の一例を示す図である。
【図８】本発明の実施形態に係る薄葉紙ホルダの一部を構成する係止部材の一例を示す図である。
【図９】本発明の実施形態に係る薄葉紙ホルダの一部を構成する係止部材の他の一例を示す図である。
【図１０】本発明の実施形態に係る薄葉紙ホルダの他の一例を示す図である。
【図１１】図１０の他の一例で用いられる角度可変機構の一例を示す図である。
【発明を実施するための形態】
【００１９】
以下、本発明の実施の形態について、図面を参照しながら詳細に説明する。図１は本発明の実施形態に係る薄葉紙ホルダの一例を示す正面図であり、図２は図１の背面図であり、図３は図１の左側面図である。なお、以下に示す説明では、各図において共通する部分については、同一の符号を付して説明を省略する場合がある。
【００２０】
図１において、符号１は、本発明の薄葉紙ホルダの一例であるペーパーホルダである。ペーパーホルダ１は、ディスペンサ２、バンド３、フック４、アジャスタ６及びスライダ７を備える。
【００２１】
また、Ｔはティッシュペーパーであり、Ｐは包装パックＰである。包装パックＰには、積み重ねられた複数枚のティッシュペーパーＴが包装されている。包装パックＰには、取出口Ｐｏが設けられており、ティッシュペーパーＴは取出口Ｐｏから取り出すことができる。なお、包装パックＰの取出口Ｐｏは図示しないミシン目が設けられており、使用者が該ミシン目を破ることにより取出口ＰｏからティッシュペーパーＴを取り出すことができるようになっている。
【００２２】
ディスペンサ２は、包装パックＰを収容することができる。ディスペンサ２の表面２１には、包装パックＰを収容した状態で包装パックＰに包装されたティッシュペーパーＴを取出すことができる取出口２１Ａが設けられている。ここで、ディスペンサ２はホルダ本体の一例であり、取出口２１Ａはホルダ本体の開口部の一例である。また、ティッシュペーパーＴは本発明で用いられる衛生薄葉紙の一例であり、包装パックＰは包装体の一例である。
【００２３】
なお、本実施形態では、衛生薄葉紙としてティッシュペーパーを例示したが、これに限定されるものではなく、キッチンペーパー等の他の衛生薄葉紙も用いることができる。
【００２４】
この例では、ディスペンサ２にティッシュペーパーＴが包装パックＰに包装された状態で収容されているが、積み重ねられた複数枚のティッシュペーパーＴをディスペンサ２に直接収容してもよい。また、包装パックＰは、袋状の包装パックであるが、箱状の包装パックを用いてもよい。なお、包装パックＰの重量が１００ｇ〜２００ｇに対して、包装パックＰを収容するディスペンサ２の重量は１００ｇ〜４００ｇ程度が好ましい。
【００２５】
なお、本実施形態では、ディスペンサ２を側面２３の側から見たとき、包装パックＰの一部がディスペンサ２の上部から飛び出ているが（図３等参照）、包装パックＰの全体がディスペンサ２内に収容されるようにディスペンサ２の寸法を設定してもよい。また、ディスペンサ２の構造は、包装パックＰ全体がディスペンサ２内に収容された状態で、取出口２１Ａ以外の部分が包装パックＰ全体を覆う構造にしても良い。
【００２６】
バンド３は、長尺状のベルトで構成されている。バンド３は、両端部３１、３２を介して冷蔵庫等の構造物Ｓ（図４、５参照）に取付けられる。バンド３には、ディスペンサ２が移動可能に取り付けられている。すなわち、複数枚のティッシュペーパーＴを収容した状態でディスペンサ２がバンド３に対して移動することができる。
【００２７】
バンド３の材質は、特に限定されるものではないが、ディスペンサ２の移動に対して耐久性を有する材質であることが好ましい。例えば、バンド３には、プラスチック、布または不織布等を用いることができる。なお、バンド３は、本発明における長尺の帯状部材の一例である。
【００２８】
図４及び図５は、ペーパーホルダ１を構造物Ｓに取付けた状態を示す。図４、５に示すように、ペーパーホルダ１は、構造物Ｓに取付けられた状態で、複数枚のティッシュペーパーＴ（包装パックＰ）が収容されたディスペンサ２がバンド３に対して移動することができる。そのため、ペーパーホルダ１が冷蔵庫等の構造物Ｓに固定された状態で、ティッシュペーパーＴを取出す位置を調整することができる。
【００２９】
具体的には、図１〜図５に示すように、バンド３の長手方向が高さ方向（地面に対して垂直）になるようにバンド３を構造物Ｓに取付けた状態で、バンド３に対してディスペンサ２を移動させることにより、ディスペンサ２の高さを変えることができる。
【００３０】
また、図示しないが、バンド３の長手方向が横方向（地面と平行）になるようにバンド３を構造物Ｓに取付けた状態では、複数枚のティッシュペーパーＴ（包装パックＰ）を収容したディスペンサ２がバンド３に対して左右の位置を変えることができる。
【００３１】
ペーパーホルダ１は、さらに、フック４、アジャスタ６及びスライダ７を備える。
【００３２】
フック４は、バンド３の両端部３１、３２にビス、リベットまたはハトメ等の固定手段５（５１、５２）によりフック４１、４２として取付けられている。フック４は、Ｌ字状の係止片で構成されており、バンド３を冷蔵庫等の構造物Ｓ（図４、５の参照）に係止する機能を有する。フック４は、金属製のＬ字金具で構成されている。このＬ字金具は、剛性を有するものであれば特に種類は限定されてない。例えば、フック４として鉄やアルミ等の金属または強化プラスチック等を用いることができる。なお、フック４は、本発明における係止部材の一例である。
【００３３】
このようなフック４が設けられているため、バンド３を構造物Ｓに係止することにより、ペーパーホルダ１を構造物Ｓに取付けることができる。また、フック４はバンド３の両端部３１、３２に設けられているため、バンド３に対するディスペンサ２の移動の妨げにならない。
【００３４】
また、フック４がこのようなＬ字金具で構成されているため、構造物Ｓに対するバンド３の取り付け作業が容易になる。また、Ｌ字金具は剛性を有するため、構造物Ｓにフック４を係止することにより、構造物Ｓにバンド３を強固に固定することができる。そのため、ディスペンサ２はバンド３に対して安定した移動を行うことができる。
【００３５】
アジャスタ６は、バンド３の端部３１寄りに設けられている。アジャスタ６は、バンド３の長さを調整する機能を有する。アジャスタ６は、ペーパーホルダ１を取付ける構造物Ｓの寸法や取付ける位置に応じてバンド３の長さを調整することができる。アジャスタ６の構造は特に限定されるものではない。例えば、公知のバックルを用いることができる。なお、図２、図３には、アジャスタ６を用いてバンド３の長さが調整された後のバンド３の余剰分３３が示されている。
【００３６】
アジャスタ６を設けると、バンド３が撓まないように構造物Ｓに係止することができるため、バンド３が構造物Ｓから外れにくくなる。その結果、バンド３に対してディスペンサ２の移動をスムーズに行うことができる。なお、アジャスタ６は、本発明における調整機構の一例である。
【００３７】
スライダ７は、本発明における摺動部の一例であり、図１〜図５に示すように、ディスペンサ２の裏面２２に取り付けられている。そして、スライダ７はバンド３に摺動可能に取り付けられており、バンド３に対して移動することができる。スライダ７は、構造物Ｓに取付けられたバンド３に対して、ティッシュペーパーＴ（包装パックＰ）が収容されたディスペンサ２を移動させ、固定する機能を有する。
【００３８】
スライダ７は、図２、図６に示すように、複数の格子７１Ａ〜７１Ｅが梯子状に設けられた格子形状を有する。スライダ７では、スライダ７の格子７１Ａと格子７１Ｂの間、格子７１Ｂと格子７１Ｃの間、格子７１Ｃと格子７１Ｄの間、格子７１Ｄと格子７１Ｅの間にバンド３がジグザグに挿通される。スライダ７をこのような格子形状にすることにより、バンド３に対してディスペンサ２を摺動させることができる。そのため、バンド３に対するディスペンサ２の移動と固定を容易にかつ確実に行うことができる。
【００３９】
また、図７は、摺動部の他の一例であるスライダ７の変形例を示す。この変形例では、スライダ７に回転体７２Ａ〜７２Ｃが設けられている。回転体７２Ａ〜７２Ｃはゴムロールで構成されている。回転体７２Ａ、７２Ｂは、構造物Ｓに接触しながら回転するように配置され、回転体７２Ｃは回転体７２Ａ、７２Ｂとの間にバンド３を挟むように回転可能に固定されている。
【００４０】
なお、ディスペンサ２をバンド３に固定する場合、回転体７２Ｃの代わりに回転しない部材を設けても良いが、回転体７２Ｃのように回転可能な部材を設けるとディスペンサ２がバンド３に対して摺動し易くなるため好ましい。
【００４１】
この変形例では、ディスペンサ２を構造物Ｓから浮かせてディスペンサ２をバンド３に対して移動させ、ディスペンサ２を元に戻すことにより、ディスペンサ２がバンド３に対して固定される。このような変形例の構造を用いることによっても、バンド３に対するディスペンサ２の移動と固定を容易にかつ確実に行うことができる。
【００４２】
また、フック４（４１、４２）には、弾性部材の一例として、図２、図３、図８に示すように、シリコーンラバーまたは発泡ウレタン等の弾性シート８（第１の弾性シート８１、第２の弾性シート８２）が取り付けられている。この弾性シート８は、フック４を構造物Ｓに取付けた状態でフック４と構造物Ｓの間に挟まれるように設けられている。本実施形態では、弾性シート８としてシリコーンラバーが用いられている。
【００４３】
フック４にこのような弾性シート８を設けると、弾性シート８が構造物Ｓに取付けられたバンド３のすべり止めとなり、バンド３が構造物Ｓから外れにくくなる。また、このような弾性シート８を設けることにより、弾性シート８のフック４から構造物Ｓを保護することができる。そのため、包装パックＰを磁石や粘着テープ等で構造物Ｓに固定した場合に比べて、構造物の表面を傷つけたり、粘着剤が残ったりする問題がない。
【００４４】
また、弾性部材の他の一例として、図９に示すように、フック４に第１の弾性シート８１を取り付けた状態で、さらに第３の弾性シート８３を取付けてもよい。この第３の弾性シート８３を設けることにより、フック４が構造物Ｓに当接する全ての部分に弾性部材としてのシリコーンラバーを設けることができる。そのため、バンド３のすべり止めとなる機能と構造物Ｓを保護する機能をそれぞれ高くすることができる。
【００４５】
図１０は、本発明の実施形態に係る薄葉紙ホルダの他の一例を示す図であり、図１１は図１０の角度可変機構の構造を説明する図である。この他の一例では、角度可変機構の一例としてラチェット９が設けられている。ラチェット９は、ディスペンサ２とバンド３の間に配置され、バンド３に対するディスペンサ２の取り付け角度を可変する機能を有する。ディスペンサ２は、このラチェット９を介してバンド３に取付けられている。ラチェット９は、図１０に示すように、第１のラチェット半部９１、第２のラチェット半部９２を有する。
【００４６】
第１のラチェット半部９１は、図１０、図１１に示すように、円盤形状を有する。第１のラチェット半部９１のスライダ７側の表面には、円形状に略等間隔に並ぶ半球状の８つの凸部（または突起）９１Ａが設けられている。第１のラチェット半部９１の中央部には、ディスペンサ２に固定された回転軸９３が回転自在に挿通される軸孔Ｈ１が設けられている。第１のラチェット半部９１の周縁部には、ディスペンサ２に固定された４本のバー９５が挿通される４つの貫通孔９６が略等間隔に設けられている。
【００４７】
また、第１のラチェット半部９１とディスペンサ２の間には、回転軸９３に嵌挿された圧縮スプリング９４が付勢された状態で取付けられている。この構造により、第１のラチェット半部９１は、回転軸９３に沿って軸線方向に移動することができ、かつバー９５を介してディスペンサ２と一体に回転することができる。なお、バー９５の長さは、貫通孔９６から抜け出ない長さになっている。
【００４８】
第２のラチェット半部９２は、第１のラチェット半部９１よりも径寸法が小さい円盤形状を有する。第２のラチェット半部９２の第１のラチェット半部９１と対向する面には、第１のラチェット半部９１の８つの凸部９１Ａに対応して円形状に並ぶ半球状の８つの凹部９２Ａが設けられている。第２のラチェット半部９２の８つの凹部（または孔）９２Ａは、圧縮スプリング９４が付勢された状態で第１のラチェット半部９１の８つの凸部９１Ａの一部が嵌合する。
【００４９】
第２のラチェット半部９２は、アーム９７を介してスライダ７に固定されている。第２のラチェット半部９２の中央部には、ディスペンサ２に固定された回転軸９３が回転自在に挿通される軸孔Ｈ２が設けられている。なお、回転軸９３の先端は、回転軸９３が軸孔Ｈ２に挿通された状態で軸孔Ｈ２から抜け出ないように図示しないフランジ構造になっている。
【００５０】
このような構造を備えるラチェット９では、圧縮スプリング９４の付勢力により第１のラチェット半部９１の８つの凸部９１Ａの一部が第２のラチェット半部９２の８つの凹部９２Ａに嵌合し、第１のラチェット半部９１が第２のラチェット半部９２に固定される。このとき、ディスペンサ２はラチェット９を介してスライダ７に固定された状態となる。
【００５１】
この状態から、第１のラチェット半部９１を圧縮スプリング９４の付勢力に抗してディスペンサ２側に移動させると、圧縮スプリング９４が縮み、第１のラチェット半部９１が第２のラチェット半部９２から離れ、第１のラチェット半部９１が第２のラチェット半部９２に対して回転可能となる。
【００５２】
一方、第１のラチェット半部９１を元の状態に戻すと（ディスペンサ２側に移動させた状態を解除すると）、圧縮スプリング９４が元の付勢状態となり、第１のラチェット半部９１の８つの凸部９１Ａの一部が第２のラチェット半部９２の８つの凹部９２Ａに嵌合することにより、第１のラチェット半部９１が第２のラチェット半部９２に固定される。
【００５３】
このようなラチェット９を用いることにより、第１のラチェット半部９１を第２のラチェット半部９２から離れる方向に引いて所望の角度回転させた後、第１のラチェット半部９１を第２のラチェット半部９２に近づく方向に戻すことにより、バンド３に対するディスペンサ２の角度を可変することができる。
【００５４】
なお、バンド３に対するディスペンサ２の可変角度は、任意に設定することができる。この他の一例では、第１のラチェット半部９１の８つの凸部９１Ａの一部が第２のラチェット半部９２の８つの凹部９２Ａに嵌合する構造を有する。すなわち、凸部９１Ａと凹部９２Ａが嵌合する部分の数を８つにすることにより、この他の一例ではバンド３に対してディスペンサ２の角度を４５度ずつ変えることができるようになっている。
【００５５】
また、凸部９１Ａと凹部９２Ａが嵌合する部分の数は、この他の一例のように８つにするのが好ましいが、８つに限定されない。例えば、凸部９１Ａと凹部９２Ａが嵌合する部分の数を４つにすることでバンド３に対してディスペンサ２の角度を９０度ずつ変えたり、１２つにすることでバンド３に対してディスペンサ２の角度を３０度ずつ変えたりすることもできる。
【００５６】
このように、ラチェット９を設けることにより、バンド３に対してディスペンサ２の向きを調整することができる。したがって、ペーパーホルダ１を構造物Ｓに取付けた状態で、ティッシュペーパーＴを取出す角度（取出口２１Ａの角度）を変えることができる。
【００５７】
以上、本発明の実施形態について説明したが、本発明は特定の実施形態に限定されるものではなく、特許請求の範囲に記載された発明の範囲内において、種々の変形、変更が可能である。
【符号の説明】
【００５８】
Ｔ  ティッシュペーパー
Ｐ  包装パック
１  ペーパーホルダ
２  ディスペンサ
３  バンド
４、４１、４２  フック
６  アジャスタ
７  スライダ
８  弾性シート
９  ラチェット
【図１】
2018052549.tif 000003
【図２】
2018052549.tif 000004
【図３】
2018052549.tif 000005
【図４】
2018052549.tif 000006
【図５】
2018052549.tif 000007
【図６】
2018052549.tif 000008
【図７】
2018052549.tif 000009
【図８】
2018052549.tif 000010
【図９】
2018052549.tif 000011
【図１０】
2018052549.tif 000012
【図１１】
2018052549.tif 000013